(57)【要約】      （修正有）【課題】ベッドのサイズにかかわらずベッドガードとして使用でき、他の用途に転用して長期にわたって使用することのできるクッション体セットを提供する。【解決手段】クッション体セットは、同一寸法形状のクッション体１０を少なくとも３個備え、クッション体は一側板面が長方形形状で所定厚さを有した板状であり、角部の少なくともいずれかには線状体１２が設けられ、配置状態によって幅広用組合せ状態と幅狭用組合せ状態とを選択してベビーベッドにベッドガードとして配置することができると共に、１個のクッション体を折り曲げ部１３で折り曲げて椅子の座布団としたり、複数のクッション体を並置してマットとしたりすることができる。【選択図】図１
0003212236.tif 000002
【実用新案登録請求の範囲】
【請求項１】
同一寸法形状のクッション体を少なくとも３個備え、
前記クッション体は一側板面が長方形形状で所定厚さを有した板状であり、
前記クッション体の角部の少なくともいずれかには線状体が設けられており、
前記線状体でベッドの柵に締結されてベッドガードとして機能してなるものであって、
複数の前記クッション体の中から選択された一のクッション体の一対の短辺部における側端面に対して、他のクッション体の一方の短辺部における一側板面の外縁部を各々当接させた幅広用組合せ状態と、
複数の前記クッション体の中から選択された一のクッション体の一対の短辺部における一側板面の外縁部に対して、他のクッション体の一方の短辺部における側端面を各々当接させた幅狭用組合せ状態と、
のうちいずれかの組合せ状態でベッドに取り付けられてなる
ことを特徴とするクッション体セット。
【請求項２】
前記クッション体は、当該クッション体の長辺部のいずれかの位置で折り曲げ可能とする折り曲げ部を有しており、
複数の前記クッション体の中から選択された少なくとも一のクッション体が、前記折り曲げ部で折り曲げられて、かつ椅子の座板上に配された状態で前記線状体を介して前記椅子の一部に締結されることにより座布団として機能してなる
請求項１に記載のクッション体セット。
【請求項３】
複数の前記クッション体の中から選択された少なくとも二以上のクッション体が、各一側板面が面一となるように並置されて、かつ互いに前記線状体で連結されてマットとして機能してなる
請求項１又は請求項２に記載のクッション体セット。
【考案の詳細な説明】
【技術分野】
【０００１】
本考案は、いわゆるベッドガードとしての機能のみではなく、椅子に取り付ける座布団や床面等に置かれるマットとしての機能をも有するクッション体セットに関する。
【背景技術】
【０００２】
従来のベッドガードにあっては、例えば特許文献１に開示された乳幼児用敷布団のように、敷布団本体に頭部中央部材やボディ部サイド部材が設けられたものがある。
【０００３】
また、一般的に市販されている簡易構造のベッドガードも既によく知られている。ここで、取り付け対象となるベビーベッドは、幅７０ｃｍ×長さ１２０ｃｍの幅広のいわゆるスタンダードサイズと、幅６０ｃｍ×長さ９０ｃｍのいわゆるミニサイズの２種があり、これに対応して、ベッドガードも各々のベッドサイズに合わせたものが個別に提供されている。
【先行技術文献】
【特許文献】
【０００４】
【特許文献１】特開２００３−２０４８４２号公報
【考案の概要】
【考案が解決しようとする課題】
【０００５】
しかしながら、特許文献１のような乳幼児用敷布団にあっては、使用する乳幼児が成長した際には不要となり、結局、他の用途に転用できないため長期にわたって使用できないという問題がある。
【０００６】
また、一般的に市販されているベッドガードは、サイズの異なるベビーベッドの間で使い回しすることができないため、製造コストがかさんだり、販売面積に無駄が生じたりするという問題がある。また、既に上市されている長尺で単一のベッドガードも、他の用途がないため、ベビーベッドの使用時期が終われば廃棄されてしまうことが多かった。
【０００７】
そこで本考案は、サイズの異なる２種のベッドに対して好適に使用することができ、加えて、他の用途にも使うことができるクッション体セットを提供することを目的とする。
【課題を解決するための手段】
【０００８】
本考案は、同一寸法形状のクッション体を少なくとも３個備え、前記クッション体は一側板面が長方形形状で所定厚さを有した板状であり、前記クッション体の角部の少なくともいずれかには線状体が設けられており、前記線状体でベッドの柵に締結されてベッドガードとして機能してなるものであって、複数の前記クッション体の中から選択された一のクッション体の一対の短辺部における側端面に対して、他のクッション体の一方の短辺部における一側板面の外縁部を各々当接させた幅広用組合せ状態と、複数の前記クッション体の中から選択された一のクッション体の一対の短辺部における一側板面の外縁部に対して、他のクッション体の一方の短辺部における側端面を各々当接させた幅狭用組合せ状態と、のうちいずれかの組合せ状態でベッドに取り付けられてなることを特徴とするクッション体セットである。
【０００９】
かかる構成にあっては、前記クッション体の組合せ状態によって上記したようなスタンダードサイズのベッドに対しても、ミニサイズのベッドに対しても単一の前記クッション体セットで対応可能である。
【００１０】
また、前記クッション体は、当該クッション体の長辺部のいずれかの位置で折り曲げ可能とする折り曲げ部を有しており、複数の前記クッション体の中から選択された少なくとも一のクッション体が、前記折り曲げ部で折り曲げられて、かつ椅子の座板上に配された状態で前記線状体を介して前記椅子の一部に締結されることにより座布団として機能してなる構成が提案される。
【００１１】
かかる構成とすることにより、仮にベビーベッドを使用していた乳幼児が成長してベビーベッドが不要となり、前記クッション体セットをベッドガードとして使用する必要がなくなったとしても、通常の椅子用の座布団として使用することができる。このため、長期にわたってクッション体セットを使用することができる利点がある。
【００１２】
さらに、複数の前記クッション体の中から選択された少なくとも二以上のクッション体が、各一側板面が面一となるように並置されて、かつ互いに前記線状体で連結されてマットとして機能してなる構成が提案される。
【００１３】
かかる構成とすることにより、前記クッション体セットのクッション体を連結してマットとして使用することができるため、仮にベビーベッド用のベッドガードとして使用する必要が無くなったとしてもマットとして長期にわたって使用し続けることができる。
【考案の効果】
【００１４】
本考案にかかるクッション体セットは、適用するベッドのサイズが異なっていても１種で対応可能であり、また、仮にベッドガードとして使用する必要が無くなったとしても、別の用途で長期にわたって使用し続けることができる優れた効果がある。
【図面の簡単な説明】
【００１５】
【図１】実施例にかかるクッション体の斜視図である。
【図２】実施例にかかるクッション体セットをベッドガードとしてベビーベッドに配置した状態を示す斜視図である。
【図３】実施例にかかるクッション体セットをベッドガードとして配置した状態を示す模式的な説明図であり、（ａ）は幅広用組合せ状態を示し、（ｂ）は幅狭用組合せ状態を示している。
【図４】実施例にかかるクッション体を椅子の座布団として椅子に配置した状態を示す斜視図である。
【図５】実施例にかかるクッション体を椅子の座布団として椅子に配置した状態を示す部分拡大断面図である。
【図６】実施例にかかるクッション体セットをマットとして配置した状態を示す斜視図である。
【図７】実施例にかかるクッション体を物干し竿に干した状態を示す説明図である。
【考案を実施するための形態】
【００１６】
以下に本考案を具体化した実施例を詳細に説明する。なお、本考案は、下記に示す実施例に限定されることはなく、適宜設計変更が可能である。
【００１７】
クッション体セット１は、クッション性を有する３個のクッション体１０（図１参照）を備えている。なお、クッション体１０は、一側板面が長方形形状で、所定の厚さを有する板状であり、各角部には、線状体である紐体１２，１２，１２，１２が設けられている。なお、本実施例のクッション体１０にあっては、一側板面となるＸ面１１の長辺部Ａを６０ｃｍとし、短辺部Ｂを３０ｃｍとし、厚さＣを４ｃｍとしている。また、クッション体１０の外表面は布製材料で構成されており、その内部には綿等の繊維材料や発泡材料等が充填されている。
【００１８】
また、クッション体１０における長辺部Ａの中央には、クッション体１０を折り畳めるように、短辺部Ｂの方向に沿って折り曲げ部１３が形成されている。具体的に折り曲げ部１３は、Ｘ面１１を構成する表層と、クッション体１０の他側板面となるＹ面１４を構成する表層とを縫合して形成されている。なお、本実施例においては、折り曲げ部１３はＸ面１１上に設けられている。
【００１９】
〔ベッドガードとしての機能〕
次に、クッション体セット１のクッション体１０をベビーベッド２０に取り付けてベッドガードとして使用する態様を説明する。
【００２０】
図２に示すように、ベビーベッド２０は、四隅に支柱２１を備え、平面視長方形のマット面の四辺から上側へ向かって柵２２が立設されている。そして、ベビーベッド２０にベッドガードとしてクッション体セット１を適用する際には、ベビーベッド２０の柵２２に沿って３個のクッション体１０をコの字状に配置し、紐体１２を用いて柵２２（支柱２１を含む）に締結する。
【００２１】
次に、幅７０ｃｍのスタンダードサイズのベビーベッド２０で使用する場合を図３（ａ）に従って説明する。
図３（ａ）に示したように、まず３個のクッション体１０の中から選択した一のクッション体１０をベビーベッド２０における頭部側（ベビーベッドの短辺側）の柵２２に配置し、配置したクッション体１０の一対の短辺部Ｂにおける側端面に対して他の２個のクッション体１０の一方の短辺部ＢにおけるＸ面１１の外縁部を各々当接させてサイドガードとする（幅広用組合せ状態α）。
【００２２】
かかる構成とすることにより、頭部側の柵２２に沿うクッション体セット１の幅Ｄが６８ｃｍ（６０ｃｍ＋４ｃｍ＋４ｃｍ）となり、スタンダードサイズのベビーベッド２０のサイズに合ったベッドガードとすることができる。
【００２３】
次に、幅６０ｃｍのミニサイズのベビーベッド２０で使用する場合を図３（ｂ）に従って説明する。
図３（ｂ）に示したように、まず３個のクッション体１０の中から選択した一のクッション体１０をベビーベッド２０における頭部側（ベビーベッドの短辺側）の柵２２に配置し、配置したクッション体１０の一対の短辺部ＢにおけるＸ面１１の外縁部に対して他の２個のクッション体１０の一方の短辺部Ｂにおける側端面を各々当接させてサイドガードとする（幅狭用組合せ状態β）。
【００２４】
かかる構成とすることにより、頭部側の柵２２に沿うクッション体セット１の幅Ｄが６０ｃｍとなり、ミニサイズのベビーベッド２０のサイズに合ったベッドガードとすることができる。
【００２５】
〔椅子の座布団としての機能〕
クッション体１０は上記のベッドガードとしての用途以外にも、例えば背もたれ用の支柱３１を有する椅子３０の座面上に座布団として配置することもできる。
【００２６】
具体的には、図４に示すように、１個のクッション体１０を折り曲げ部１３で折り曲げ、当該折り曲げ部１３が椅子３０の座面の前側に位置するように載置した状態で、紐体１２を用いて椅子３０の支柱３１に締結して固定する。なお、このときクッション体１０のＹ面１４が、使用者の臀部が接することとなる。
【００２７】
ところで、図５に示すように、クッション体１０の折り曲げ部１３は、椅子３０の前方に向けて配置されるため、使用者の膝裏部分が接することになり、着座した使用者の触感が悪化することがない。
【００２８】
〔マットとしての機能〕
さらに、クッション体セット１のクッション体１０を全て（３個）又は少なくともいずれかを使用してマットとすることもできる。
【００２９】
図６に示すように、３個のクッション体１０，１０，１０をＸ面１１側が面一となるように並置し、隣り合うクッション体１０の長辺部Ａが接するように配置した状態で互いにクッション体１０の紐体１２同士を締結すると、使い勝手の良い大きさのマットとすることができる。
【００３０】
なお、これまでに述べたクッション体１０は、例えば図７に示すように、折り曲げ部１３で折り曲げた状態で物干し竿５０に引っ掛けることにより、容易に干すことができる。このとき、対向する紐体１２同士を結んで落下を防止してもよい。
【００３１】
上述した実施例において、各部の寸法形状は適宜自由に選択可能である。
【００３２】
また、クッション体セット１はクッション体１０を３個以上備えていればよく、例えば４個や５個以上で１セットとしても構わない。また、クッション体１０の内部構造は、適宜選択可能であり、例えば充填物として粒状体や流体を採用しても構わない。また、紐体１２の構造についても特に限定はされず、例えば帯状体のものであっても構わない。また、折り曲げ部１３の構造も特に限定されることはなく、例えばＸ面１１とＹ面１４との中間位置に設けられているものであってもよい。
【符号の説明】
【００３３】
１            クッション体セット
１０          クッション体
１１          Ｘ面（一側板面）
１２          紐体（線状体）
１３          折り曲げ部
１４          Ｙ面
２０          ベビーベッド
２２          柵
３０          椅子
α            幅広用組合せ状態
β            幅狭用組合せ状態
【図１】
0003212236.tif 000003
【図２】
0003212236.tif 000004
【図３】
0003212236.tif 000005
【図４】
0003212236.tif 000006
【図５】
0003212236.tif 000007
【図６】
0003212236.tif 000008
【図７】
0003212236.tif 000009